(57)【要約】【課題】画像の鮮明度を向上させることができる画像表示用光源を提供する。【解決手段】画像表示装置１は、ハウジング２と、一対の表示部３ａ、３ｂと、画像表示用光源（以下、光源）４とを備えている。光源４は、有機ＥＬ素子１０を有し、光を透過可能な発光部６と、発光部６の＋Ｚ面の側に配置され、Ｘ方向に振動している光を通す偏光板７ａと、発光部６の−Ｚ面の側に配置され、Ｘ方向と直交するＹ方向に振動している光を通す偏光板７ｂとを備えている。【選択図】図２
2009109549.tif 000002
【特許請求の範囲】
【請求項１】
両面に画像を表示するための画像表示用光源において、
ＥＬ（エレクトロルミネッセンス）素子を有し、光を透過可能な発光部と、
前記発光部の一方の面の側に配置され、第１偏光方向に振動している光を通す第１偏光板と、
前記発光部の他方の面の側に配置され、前記第１偏光方向と交差する第２偏光方向に振動している光を通す第２偏光板とを備えていることを特徴とする画像表示用光源。
【請求項２】
前記第１偏光方向と前記第２偏光方向は、互いに直交していることを特徴とする請求項１に記載の画像表示用光源。
【請求項３】
前記ＥＬ素子は、有機ＥＬ素子であることを特徴とする請求項１または請求項２のいずれか１項に記載の画像表示用光源。
【請求項４】
前記ＥＬ素子は、無機ＥＬ素子であることを特徴とする請求項１または請求項２のいずれか１項に記載の画像表示用光源。
【発明の詳細な説明】
【技術分野】
【０００１】
本発明は、ＥＬ（エレクトロルミネッセンス）素子を有し、両面に画像を表示するための画像表示用光源に関する。
【背景技術】
【０００２】
従来、両面に画像を表示可能な画像表示装置が知られている。特許文献１には、ハウジングと、ハウジングの両面に設けられた一対の表示パネルと、一対の表示パネルの間に設けられた蛍光灯とを備えた誘導灯が開示されている。
【０００３】
特許文献１の誘導灯では、電源がオンされると、蛍光灯が点灯する。蛍光灯からの光は、両面に設けられた表示パネルを透過して、両面に画像を表示する。
【０００４】
しかしながら、上述したような蛍光灯を用いた誘導灯は、小型化が難しいといった問題があった。そこで、透過した光により画像を形成する一対の表示部と、ＥＬ（エレクトロルミネッセンス）素子を有する光源を備えた画像表示装置が提案されている。ここで光源は、両方向に光を照射するために、光を透過可能に構成されている。
【０００５】
この画像表示装置では、光源のＥＬ素子から発光した光が、光を透過可能な封止板や基板を透過して、両方向に照射される。照射された光は、更に、表示部を透過して画像を表示する。
【０００６】
このように、光源にＥＬ素子を設けることにより、厚みを薄くして小型化及び軽量化を実現することができた。
【特許文献１】特許第２５１７１０９号公報
【発明の開示】
【発明が解決しようとする課題】
【０００７】
しかしながら、上述したＥＬ素子を用いた光源では、光を透過可能に構成しているため、外部から一方の表示部へと光が入射すると、光源を透過して他方の表示部に到達する。これにより、他方の表示部に、一方の表示部の画像が投影されるので、他方の表示部に２つの表示部の画像が混同して不鮮明であるという課題がある。
【０００８】
本発明は、上述した課題を解決するために創案されたものであり、画像の鮮明度を向上させることができる画像表示用光源を提供することを目的としている。
【課題を解決するための手段】
【０００９】
上記目的を達成するために、請求項１に記載の発明は、両面に画像を表示するための画像表示用光源において、ＥＬ（エレクトロルミネッセンス）素子を有し、光を透過可能な発光部と、前記発光部の一方の面の側に配置され、第１偏光方向に振動している光を通す第１偏光板と、前記発光部の他方の面の側に配置され、前記第１偏光方向と交差する第２偏光方向に振動している光を通す第２偏光板とを備えていることを特徴とする画像表示用光源である。
【００１０】
また、請求項２に記載の発明は、前記第１偏光方向と前記第２偏光方向は、互いに直交していることを特徴とする請求項１に記載の画像表示用光源である。
【００１１】
また、請求項３に記載の発明は、前記ＥＬ素子は、有機ＥＬ素子であることを特徴とする請求項１または請求項２のいずれか１項に記載の画像表示用光源である。
【００１２】
また、請求項４に記載の発明は、前記ＥＬ素子は、無機ＥＬ素子であることを特徴とする請求項１または請求項２のいずれか１項に記載の画像表示用光源である。
【発明の効果】
【００１３】
本発明によれば、互いに交差する偏光方向を有する一対の偏光板を、発光部を挟み異なる側に設けたので、外部から入射する光を２つの偏光板により遮光することができる。これにより、一方から入射した光が他方から出射されることを抑制できる。この結果、画像の混同を抑制して、画像の鮮明度を向上させることができる。
【発明を実施するための最良の形態】
【００１４】
（第１実施形態）
以下、図面を参照して本発明の画像表示用光源を用いた第１実施形態による画像表示装置を説明する。図１は、第１実施形態による画像表示装置の全体斜視図である。図２は、図１におけるＩＩ−ＩＩ線に沿った断面図である。以下の説明において、図１に示すＸＹＺをＸＹＺ方向とする。
【００１５】
図１及び図２に示すように、第１実施形態による画像表示装置１は、ハウジング２と、一対の表示部３ａ、３ｂと、画像表示用光源（以下、光源）４とを備えている。
【００１６】
ハウジング２は、各構成３ａ、３ｂ、４を保持するためのものである。ハウジング２は、合成樹脂からなる。ハウジング２は、内部が空洞の四角柱面状に形成されている。ハウジング２のＺ方向の両端部は開口されている。
【００１７】
表示部３ａ、３ｂは、画像を形成するためのものである。表示部３ａ、３ｂは、光を透過可能な板状の樹脂からなる。表示部３ａ、３ｂは、表示する画像に合わせて、複数の色（例えば、緑色及び白色）に塗り分けられている。表示部３ａ（３ｂ）は、ハウジング２の＋Ｚ方向（−Ｚ方向）の開口部を塞ぐように設けられている。
【００１８】
光源４は、両面に画像を表示するために、＋Ｚ方向及び−Ｚ方向の両方向に光を照射するためのものである。光源４は、発光部６と、一対の偏光板７ａ、７ｂとを備えている。
【００１９】
発光部６は、有機ＥＬ素子１０を有し、光を透過可能に構成されている。発光部６は、ＸＹ平面に平行な長方形の面状に形成されている。発光部６は、基板１１と、アノード電極１２と、有機発光層１３と、カソード電極１４と、絶縁層１５と、封止用樹脂１６と、封止板１７とを備えている。尚、アノード電極１２、有機発光層１３及びカソード電極１４から有機ＥＬ素子１０が構成される。
【００２０】
基板１１は、光を透過可能なＳｉＯ２からなる。基板１１は、約１００μｍの厚みを有する長方形の板状に構成されている。
【００２１】
アノード電極１２は、有機発光層１３に正孔を注入するためのものである。アノード電極１２は、光を透過可能な約１００ｎｍの厚みを有するＩＴＯ（酸化インジウムスズ）からなる。アノード電極１２は、基板２上に形成されている。
【００２２】
有機発光層１３は、白色の光を発光するためのものである。有機発光層１３は、アノード電極１２上に電気的に接続された状態で形成されている。有機発光層１３には、正孔輸送層及び電子輸送層がアノード電極１２側から順に積層されている。正孔輸送層には、約５０ｎｍの厚みを有するＮＰＤ（ジフェニルナフチルジアミン）膜等を採用可能である。電子輸送層には、約５０ｎｍの厚みを有するキノリノールアルミ錯体（Ａｌｑ３）膜に色素を混入させたものを採用可能である。また、アノード電極１２からの正孔注入を促進するために銅フタロシアニン（ＣｕＰｃ）をアノード電極１２と有機発光層１３との間に積層してもよい。
【００２３】
カソード電極１４は、有機発光層１３に電子を注入するためのものである。カソード電極１４は、光を透過可能な約１００ｎｍの厚みを有するＩＴＯからなる。カソード電極１４は、有機発光層１３上に電気的に接続された状態で形成されている。
【００２４】
絶縁層１５は、アノード電極１２、有機発光層１３及びカソード電極１４を水分等から保護するためのものである。絶縁層１５は、約１００ｎｍの厚みを有し、プラズマＣＶＤ（Chemical Vapor Deposition）により形成された光を透過可能なＳｉＯＮからなる。絶縁層１５は、アノード電極１２、有機発光層１３及びカソード電極１４を覆うように形成されている。尚、絶縁層１５をＳｉＯ２、ＳｉＮ等により構成してもよい。
【００２５】
封止用樹脂１６は、アノード電極１２、有機発光層１３及びカソード電極１４の保護をより高めるためのものである。封止用樹脂１６は、光硬化性エポキシ樹脂からなる。封止用樹脂１６は、絶縁層１５を覆うように形成されている。
【００２６】
封止板１７は、光を透過可能なＳｉＯ２からなる。基板１１は、約１００μｍの厚みを有する長方形の板状に構成されている。封止板１７は、封止用樹脂１６の一面を覆うように設けられている。
【００２７】
偏光板７ａ、７ｂは、ヨウ素系の偏光フィルムからなる。偏光板７ａ、７ｂは、Ｚ方向から視て、発光部６と略同じ長方形の面状に形成されている。偏光板７ａは、Ｘ方向（請求項の第１偏光方向に相当）に振動している光を通すように構成されている。偏光板７ｂは、Ｙ方向（請求項の第２偏光方向に相当）に振動している光を通すように構成されている。即ち、偏光板７ａと偏光板７ｂは、偏光方向が直交するように構成されている。偏光板７ａは、発光部６の＋Ｚ面の側に配置されている。偏光板７ｂは、発光部６の−Ｚ面の側に配置されている。
【００２８】
次に、上述した画像表示装置１の動作説明をする。図３及び図４は、画像表示装置の動作説明をするための概略の断面図である。尚、図３及び図４において、ハッチングは省略している。
【００２９】
まず、光源４の発光部６において、アノード電極１２及びカソード電極１４の間に電圧が印加されると、アノード電極１２からは正孔が有機発光層１３に注入されるとともに、カソード電極１４からは電子が有機発光層１３に注入される。そして、有機発光層１３に注入された正孔及び電子は、再結合して光を発光する。そして、光源４の発光部６から照射される光により画像が表示される。以下、具体的に光源４の発光部６からの光による画像表示について述べる。
【００３０】
まず、＋Ｚ方向に進行する光による画像表示について、図３を参照して説明する。
【００３１】
図３に示すように、発光部６から照射されて＋Ｚ方向に進行する光のうち、Ｘ方向以外の方向に振動している光Ｌ１は、偏光板７ａにより遮光される。一方、発光部６から照射されて＋Ｚ方向に進行する光のうち、Ｘ方向に振動する光Ｌ１Ｘは、偏光板７ａを透過して偏光となる。偏光板７ａを透過した光Ｌ１Ｘは、表示部３ａを透過して、画像を表示する。
【００３２】
表示部３ｂを透過して、画像表示装置１に入射する光のうち、Ｙ方向以外の方向に振動している光Ｌ２は、偏光板７ｂにより遮光される。一方、表示部３ｂを透過して、画像表示装置１に入射する光のうち、Ｙ方向に振動している光Ｌ２Ｙは、偏光板７ｂを透過して偏光となる。その後、光Ｌ２Ｙは、発光部６を透過するが、偏光板７ａにより遮光される。
【００３３】
即ち、＋Ｚ方向に進行する光のうち、発光部６から照射されてＸ方向に振動する光Ｌ１Ｘのみが表示部３ａを透過して、画像を形成する。
【００３４】
次に、−Ｚ方向に進行する光による画像表示について、図４を参照して説明する。
【００３５】
図４に示すように、発光部６から照射されて−Ｚ方向に進行する光のうち、Ｙ方向以外の方向に振動している光Ｌ３は、偏光板７ｂにより遮光される。一方、発光部６から照射されて−Ｚ方向に進行する光のうち、Ｙ方向に振動している光Ｌ３Ｙは、偏光板７ｂを透過して偏光となる。偏光板７ｂを透過した光Ｌ３Ｙは、表示部３ｂを透過して、画像を表示する。
【００３６】
表示部３ａを透過して、画像表示装置１に入射する光のうち、Ｘ方向以外の方向に振動している光Ｌ４は、偏光板７ａにより遮光される。一方、表示部３ａを透過して、画像表示装置１に入射する光のうち、Ｘ方向に振動している光Ｌ４Ｘは、偏光板７ａを透過して偏光となる。その後、光Ｌ４Ｘは、発光部６を透過するが、偏光板７ｂにより遮光される。
【００３７】
即ち、−Ｚ方向に進行する光のうち、発光部６から照射されてＹ方向に振動する光Ｌ３Ｙのみが表示部３ｂを透過して、画像を形成する。
【００３８】
また、上述した動作説明から明らかなように、外部から画像表示装置１に入射した光は、２つの偏光板７ａ、７ｂに遮光されて、反対側の表示部３ａ、３ｂに達することを抑制される。
【００３９】
次に、上述した画像表示装置１の製造方法について説明する。
【００４０】
まず、光源４を作製する。具体的には、既知のリソグラフィー技術、リフトオフ法、蒸着法等を用いて、基板１１上にアノード電極１２、有機発光層１３、カソード電極１４及び絶縁層１５を順にパターニングしつつ、積層する。次に、封止用樹脂１６により絶縁層１５を覆った後、封止板１７により発光部６を封止する。次に、ハウジング２に発光部６及び偏光板７ａ、７ｂからなる光源４を取り付けた後、表示部３ａ、３ｂによりハウジング２の開口部を封鎖して、画像表示装置１が完成する。
【００４１】
上述したように、画像表示装置１の光源４では、互いに偏光方向が直交する偏光板７ａ、７ｂを、発光部６を挟み反対側に設けているので、外部から入射した光を２枚の偏光板７ａ、７ｂにより遮光することができる。これにより、一方の表示部３ａ（３ｂ）を透過して入射した光が、他方の表示部３ｂ（３ａ）に達することを低減できるので、２つの表示部３ａ、３ｂの画像が混同することを抑制できる。この結果、表示される画像の鮮明度を向上させることができる。
【００４２】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００４３】
上述した画像表示装置の光源における形状、材料、数値等は一例であり、適宜変更可能である。
【００４４】
また、上述した１対の偏光板は、互いの偏光方向が直交するように構成したが、互いの偏光方向が交差するように構成すればよく、必ずしも直交させなければならないわけではない。
【００４５】
また、上述した画像表示装置の光源では、有機ＥＬ素子を備えた光源を例に説明したが、無機ＥＬ素子を備えた光源を適用してもよい。例えば、ＺｎＯ系半導体層、ＧａＮ系半導体層、Ｓｉ系半導体層またはＧａＡｓ系半導体層等を備えた無機ＥＬ素子を適用することができる。
【図面の簡単な説明】
【００４６】
【図１】第１実施形態による画像表示装置の全体斜視図である。
【図２】図１におけるＩＩ−ＩＩ線に沿った断面図である。
【図３】画像表示装置の動作説明をするための概略の断面図である。
【図４】画像表示装置の動作説明をするための概略の断面図である。
【符号の説明】
【００４７】
１     画像表示装置
２     ハウジング
３ａ、３ｂ    表示部
４     光源
６     発光部
７ａ、７ｂ    偏光板
１０   有機ＥＬ素子
１１   基板
１２   アノード電極
１３   有機発光層
１４   カソード電極
１５   絶縁層
１６   封止用樹脂
１７   封止板
Ｌ１、Ｌ１Ｘ、Ｌ２、Ｌ２Ｙ、Ｌ３、Ｌ３Ｙ、Ｌ４、Ｌ４Ｘ       光
【図１】
2009109549.tif 000003
【図２】
2009109549.tif 000004
【図３】
2009109549.tif 000005
【図４】
2009109549.tif 000006